(57)【要約】【課題】カーテンウォールと躯体との間に雨水が浸入することを防止するカーテンウォールユニットを得る。【解決手段】右下枠１８０は、右中骨１４０と右縦枠１２０との間に設けられ、左下枠１９０は、左中骨１５０と左縦枠１３０との間に設けられる。同様に、左下枠１９０の一方の端部は左縦枠１３０の側面１３１と接続され、他端は左中骨１５０の側面１５２と接続される。上枠１１０は、その長手方向中央に設けられる通気口１１９を備える。通気口１１９は、その上側に取り付けられるカーテンウォールユニット１００の右中間枠１６０及び左中間枠１７０の内部と、建築物の外部とを繋ぐ。通気口１１９から嵌合凹溝１１７を経て外気が中空部２８０まで流入する。これにより、嵌合凹溝１１７及び中空部２８０が外気圧と同じ圧力に維持されて、圧力差によって雨水が進入することがない。【選択図】図１
2018159211.tif 000002
【特許請求の範囲】
【請求項１】
上枠と、
前記上枠の両端の間に取り付けられる一対の中骨と、
前記上枠の両端部分に取り付けられる縦枠と、
前記縦枠の下端部と前記中骨の下端部との間に各々取り付けられる下枠とを備え、
前記下枠は前記中骨の側面に取り付けられ、
前記一対の中骨は、互いに組み合わせられることで第１等圧空間部を形成しており、
前記第１等圧空間部は外部に開口し、外気が前記第１等圧空間部に出入可能であることを特徴とするカーテンウォールユニット。
【請求項２】
前記上枠は、通気口と、前記カーテンウォールユニットの上方に隣接する他のカーテンウォールユニットの下枠が接続される嵌合部と、を有し、
前記上枠と前記他のカーテンウォールユニットの下枠とが嵌合した状態において、前記嵌合部と前記他のカーテンウォールユニットの下枠との間に第２等圧空間部が形成され、前記第２等圧空間部は前記第１等圧空間部と連通し、
前記通気口は、前記第２等圧空間部を経て前記第１等圧空間部に外気を出入りさせることを特徴とする請求項１に記載のカーテンウォールユニット。
【請求項３】
前記下枠と前記中骨との間に設けられるシール部材とを備える請求項１又は２に記載のカーテンウォールユニット。
【請求項４】
前記中骨は、前記中骨の長手方向に対して直角を成す方向に前記中骨の動きを規制する補強材を備える請求項１から３のいずれかに記載のカーテンウォールユニット。
【請求項５】
前記補強材は、前記中骨の長手方向略中央に設けられる請求項１から４のいずれかに記載のカーテンウォールユニット。
【請求項６】
前記補強材は、前記中骨の下端部付近に設けられる請求項１から５のいずれかに記載のカーテンウォールユニット。
【発明の詳細な説明】
【技術分野】
【０００１】
本発明は、建築物の外壁に用いられるカーテンウォールユニットに関する。
【背景技術】
【０００２】
従来、天井側サッシと、床側サッシと、天井側サッシと床側サッシの間に取り付けられる連結部材と、連結部材にボルト止めされる縦材とを備えるカーテンウォールが知られている。連結部材は、縦材と共に天井側サッシの底面と床側サッシの頂面との間に挟まれて固定され、天井側サッシ及び床側サッシと共に等圧区画を形成する（特許文献１参照）。
【先行技術文献】
【特許文献】
【０００３】
【特許文献１】特開２０１４−１７７８２１号明細書
【発明の概要】
【発明が解決しようとする課題】
【０００４】
ところで、連結部材及び縦材の長さは誤差を含むことが多い。天井側サッシと床側サッシとの間に連結部材及び縦材を取り付ける場合、連結部材及び縦材の長さに誤差があると、床側サッシと連結部材及び縦材との間の圧力が各々異なって、連結部材及び縦材のいずれかと床側サッシとが完全に密着しないことがある。これらが完全に密着しないとカーテンウォールと躯体との間を十分に止水できず、カーテンウォールと躯体との間に雨水が浸入するという課題が生じる。仮に天井側サッシと連結部材及び縦材との間及び床側サッシと連結部材及び縦材との間にシール材を設けて、カーテンウォールと躯体との間に雨水が進入することを防止しようとしても、連結部材及び縦材のいずれかと床側サッシとの間の圧力が各々異なって、シール材に加えられる圧力もまた各々異なることになる。シール材に加えられる圧力が各々異なると、カーテンウォールと躯体との間をシール材が十分に止水できず、前述と同様に、カーテンウォールと躯体との間に雨水が浸入する。
【０００５】
本発明はこのような課題に鑑みてなされたものであり、カーテンウォールと躯体との間に雨水が浸入することを防止するカーテンウォールユニットを得ることを目的とする。
【課題を解決するための手段】
【０００６】
本願第１の発明によるカーテンウォールユニットは、上枠と、上枠の両端の間に取り付けられる一対の中骨と、上枠の両端部分に取り付けられる縦枠と、縦枠の下端部と中骨の下端部との間に各々取り付けられる下枠とを備え、下枠は中骨の側面に取り付けられ、一対の中骨は、互いに組み合わせられることで第１等圧空間部を形成しており、第１等圧空間部は外部に開口し、外気が第１等圧空間部に出入可能であることを特徴とする。
【０００７】
上枠は、通気口と、カーテンウォールユニットの上方に隣接する他のカーテンウォールユニットの下枠が接続される嵌合部と、を有し、上枠と他のカーテンウォールユニットの下枠とが嵌合た状態において、嵌合部と他のカーテンウォールユニットの下枠との間に第２等圧空間部が形成され、第２等圧空間部は第１等圧空間部と連通し、通気口は、第２等圧空間部を経て第１等圧空間部に外気を出入りさせることが好ましい。これにより、中骨勝ちの構成としながら、上枠内部及び中骨内部の圧力を外気と同等に保持できる。
【０００８】
下枠と中骨との間に設けられるシール部材とを備えることが好ましい。これにより、カーテンウォールと躯体との間を止水できる。
【０００９】
中骨は、中骨の長手方向に対して直角を成す方向に中骨の動きを規制する補強材をさらに備えることが好ましい。そして、補強材は、中骨の長手方向略中央、又は中骨の下端部付近に設けられることが好ましい。これにより、中骨が分離することを防ぐことができる。
【発明の効果】
【００１０】
本発明によれば、カーテンウォールと躯体との間に雨水が浸入することを防止するカーテンウォールユニットが提供される。
【図面の簡単な説明】
【００１１】
【図１】建築物に取り付けられたカーテンウォールユニットを外部から見た図である。
【図２】図１のＩＩ−ＩＩ線における断面図である。
【図３】図１のＩＩＩ−ＩＩＩ線における断面図である。
【図４】図１のＩＶ−ＩＶ線における断面図である。
【図５】図１のＶ−Ｖ線における断面図である。
【図６】通気口から中空部への空気の流れを示す一部断面斜視図である。
【符号の説明】
【００１２】
１００  カーテンウォールユニット
１０１  右上部アウタースキン
１０２  右下部アウタースキン
１０３  左上部アウタースキン
１０４  左下部アウタースキン
１１０  上枠
１１７  嵌合凹溝
１１９  通気口
１２０  右縦枠
１３０  左縦枠
１４０  右中骨
１５０  左中骨
１６０  右中間枠
１７０  左中間枠
１８０  右下枠
１９０  左下枠
２３０  上部補強材
２４０  下部補強材
２７２  シーラー
【発明を実施するための形態】
【００１３】
本発明による一実施形態によるカーテンウォールユニット１００について図１から図６を用いて説明する。
【００１４】
図１を参照すると、複数のカーテンウォールユニット１００は、建築物の躯体に取り付けられ、外壁として用いられる。以下、建築物に取り付けられた状態において鉛直方向に沿う長さを高さ、建築物の外壁面と平行かつ水平方向に沿う長さを幅、建築物の外壁面と直角かつ水平方向に沿う長さを厚さという。
【００１５】
図１及び２を参照すると、カーテンウォールユニット１００は、室外側パネルを成す右上部アウタースキン１０１、右下部アウタースキン１０２、左上部アウタースキン１０３、及び左下部アウタースキン１０４と、室内側パネルを成す右上部インナースキン（非図示）及び左上部インナースキン１０６と、上枠１１０と、右縦枠１２０と、左縦枠１３０と、右中骨１４０と、左中骨１５０と、右中間枠１６０と、左中間枠１７０と、右下枠１８０と、左下枠１９０とを主に備える。右縦枠１２０、左縦枠１３０、上枠１１０、右下枠１８０、及び左下枠１９０が枠体を成す。
【００１６】
右上部アウタースキン１０１及び左上部アウタースキン１０３は１枚の平板状のフロートガラスから成り、右下部アウタースキン１０２及び左下部アウタースキン１０４は平板状のＬｏｗ−Ｅ複層ガラスから成る。右上部インナースキン及び左上部インナースキン１０６は、平板状の耐火パネルから成る。右上部インナースキンは、左上部インナースキン１０６と同じ形状であって、右上部アウタースキン１０１の室内側に設けられる。
【００１７】
上枠１１０、右中間枠１６０、左中間枠１７０、右下枠１８０、及び左下枠１９０は、略角棒状であって、図１において左右方向、すなわち幅方向に延びる。右中間枠１６０、左中間枠１７０、右下枠１８０、及び左下枠１９０は、幅方向に対して略同じ長さを有する。右縦枠１２０、右中骨１４０、左中骨１５０、及び左縦枠１３０は、一方の側面が開口する略角棒状であって、高さ方向に対して略同じ長さを有し、図１において上下方向、すなわち高さ方向に延びる。上枠１１０、右中間枠１６０、左中間枠１７０、右下枠１８０、左下枠１９０、右縦枠１２０、右中骨１４０、左中骨１５０、及び左縦枠１３０は、アルミニウム合金から成る。上枠１１０、右下枠１８０、及び左下枠１９０は、図示されないボルト及びアングル材等のファスナ部材を用いて建築物の躯体に固定される。右中骨１４０と左中骨１５０は、開口を互いに対向させるように組み合わされて固定され、中空の棒体である中骨を形成する。
【００１８】
右縦枠１２０及び左縦枠１３０は、上枠１１０の両端１１１、１１２に鉛直下方へ延びるように接続され、右中骨１４０及び左中骨１５０は、上枠１１０の底面１１３の長手方向中央に鉛直下方へ延びるように接続される。より詳細に説明すると、右中骨１４０及び左中骨１５０の上端部１４１、１５１は、上枠１１０の底面１１３と直角に接続される。これらが互いに取り付けられた状態において、右縦枠１２０、右中骨１４０、左中骨１５０、及び左縦枠１３０は互いに平行である。
【００１９】
右中間枠１６０は、右中骨１４０と右縦枠１２０との間に設けられ、左中間枠１７０は、左中骨１５０と左縦枠１３０との間に設けられる。より詳細に説明すると、右中間枠１６０の一方の端部は右縦枠１２０の側面１２１と直角に接続され、他端は右中骨１４０の側面１４２と直角に接続される。同様に、左中間枠１７０の一方の端部は左縦枠１３０の側面１３１と直角に接続され、他端は左中骨１５０の側面１５２と直角に接続される。これらが互いに取り付けられた状態において、右中骨１４０及び左中骨１５０、右縦枠１２０、及び左縦枠１３０は互いに平行である。
【００２０】
右中骨１４０及び左中骨１５０の上枠１１０に取り付けられる一端とは反対側の他端付近において、右下枠１８０は、右中骨１４０と右縦枠１２０との間に設けられ、左下枠１９０は、左中骨１５０と左縦枠１３０との間に設けられる。より詳細に説明すると、右下枠１８０の一方の端部は右縦枠１２０の側面１２１と直角に接続され、他端は右中骨１４０の側面１４２と直角に接続される。同様に、左下枠１９０の一方の端部は左縦枠１３０の側面１３１と直角に接続され、他端は左中骨１５０の側面１５２と直角に接続される。これらが互いに取り付けられた状態において、右中骨１４０及び左中骨１５０、右下枠１８０、及び左下枠１９０は互いに平行である。
【００２１】
上枠１１０は、両端部近くに設けられる通気口１１９を備える。通気口１１９の詳細は後述される。
【００２２】
右中骨１４０と左中骨１５０との間に、長方形断面を有する筒状部材である上部補強材２３０と下部補強材２４０が設けられる。上部補強材２３０は、右中間枠１６０及び左中間枠１７０から右下枠１８０及び左下枠１９０までの高さ方向略中央に設けられ、下部補強材２４０は、水平方向から見たとき右下枠１８０及び左下枠１９０と互いの一部が重なるように、右中骨１４０及び左中骨１５０の上枠１１０に取り付けられる一端とは反対側の他端付近に設けられる。
【００２３】
次に、図３から６を用いて、上枠１１０、右中骨１４０、左中骨１５０、左下枠１９０の接合部について説明する。図３から６は、上下に隣接する２つのカーテンウォールユニット１００の接合部を示す。これらの図において、右中骨１４０、左中骨１５０、左下枠１９０、及び下部補強材２４０は上側のカーテンウォールユニット１００に設けられており、上枠１１０は下側のカーテンウォールユニット１００に設けられている。
【００２４】
図３を参照すると、上枠１１０は、上枠本体１１４と、２枚の板状部１１５、１１６とを主に備える。２枚の板状部１１５、１１６は、嵌合部を成し、上枠１１０の長手方向全長に渡って上枠本体１１４の頂面から上方に向けて突出する。２枚の板状部１１５、１１６の間には、上方に向けて開口するコの字型の嵌合凹溝１１７が形成される。すなわち、嵌合凹溝１１７は、上枠１１０の長手方向全長に渡って延びる。２枚の板状部１１５、１１６の先端には、嵌合凹溝１１７の内周に向けて突出する止水ゴム２７４が設けられる。嵌合凹溝１１７内の長手方向中央部分には、上方に向けて開口するコの字型のアルミ押出形材から成るスプライサー２７０がビス２６４を用いて取り付けられる。
【００２５】
板状部１１５は、厚さ方向に貫通する通気口１１９を有する。通気口１１９は、カーテンウォールユニット１００の外部と嵌合凹溝１１７とを接続して、両者の圧力を等しく保つ。通気口１１９に面する位置には、スプライサー２７０及び後述される等圧区画材２９０は設けられない。
【００２６】
上枠本体１１４において、カーテンウォールユニット１００の外部側に、上押縁２５０が取り付けられる。上枠本体１１４と上押縁２５０との間に右上部アウタースキン１０１又は左上部アウタースキン１０３が図示されないガスケットを介して取り付けられる。
【００２７】
右中骨１４０及び左中骨１５０が上枠本体１１４の底面１１３にビス２６０を用いて固定される。上枠本体１１４の底面１１３と右中骨１４０及び左中骨１５０との間に、エチレン・プロピレン・ジエンゴム（ＥＰＤＭ）から成るシーラー２７５が設けられる。シーラー２７５は、底面１１３と右中骨１４０及び左中骨１５０とから所定の圧力を受けてこれらに密着し、底面１１３と右中骨１４０及び左中骨１５０との間を止水する。
【００２８】
上側のカーテンウォールユニット１００の右中骨１４０の下端、左中骨１５０の下端１５６ａ、右下枠１８０、及び左下枠１９０は、嵌合凹溝１１７内に高さ方向略中央まで進入する。そして、右下枠１８０及び左下枠１９０は止水ゴム２７４と接触する。これにより、右中骨１４０の下端、左中骨１５０の下端１５６ａ、右下枠１８０、及び左下枠１９０とスプライサー２７０の内底２７１との間に、上枠１１０の幅方向全長に渡って走る空間（第２等圧空間部）１５７ができる。他方、上側のカーテンウォールユニット１００の右中骨１４０の下端及び左中骨１５０の下端１５６ｂは、嵌合凹溝１１７内に進入せず、板状部１１５及び上枠本体１１４の頂面に接触せず、板状部１１５及び上枠本体１１４の頂面から所定の間隔を空けた位置に置かれる。これにより、右中骨１４０の下端及び左中骨１５０の下端１５６ｂと上枠１１０との間に空間、つまり隙間ができる。
【００２９】
図４を参照すると、右中骨１４０と左中骨１５０は、互いに向けて開口するコの字型の断面を有する。右中骨１４０は、右中骨１４０の全長に渡って開口の縁から突出する２枚の嵌合突起１４３を有する。右中骨１４０と左中骨１５０とを、互いの開口を対向させるように組み合わせたとき、２枚の嵌合突起１４３は、左中骨１５０の開口に向けて突出して左中骨１５０の開口の縁１５８、１５９と係合する。これにより、右中骨１４０と左中骨１５０との間に中空部（第１等圧空間部）２８０が形成される。
【００３０】
カーテンウォールユニット１００の外部側に位置する左中骨１５０の開口の縁１５８に、耐シリコン性エチレン・プロピレン・ジエンゴム（ＥＰＤＭ―Ｓ）から成るレインバリア１５３が設けられる。レインバリア１５３は、縁１５８と嵌合突起１４３との間に挟まれて両者に密着して止水し、中空部２８０に雨水が浸入することを防ぐ。カーテンウォールユニット１００の躯体側に位置する左中骨１５０の開口の縁１５９に、耐シリコン性エチレン・プロピレン・ジエンゴム（ＥＰＤＭ―Ｓ）から成るウインドバリア１５５が設けられる。ウインドバリア１５５は、縁１５９と嵌合突起１４３との間に挟まれて両者に密着し、中空部２８０の気密性を保持する。
【００３１】
前述のように、右中骨１４０及び左中骨１５０の下端と、スプライサー２７０の内底２７１との間に空間が形成されているため、嵌合凹溝１１７は中空部２８０と連続する空間を成す。
【００３２】
右下枠１８０は右中骨１４０の側面１４２にビス２６１を用いて固定され、左下枠１９０は左中骨１５０の側面１５２にビス２６２を用いて固定される。この固定状態をいわゆる中骨勝ちという。なお、同様にして、右下枠１８０が右縦枠１２０の側面１２１にビス止めされ、左下枠１９０が左縦枠１３０の側面１３１にビス止めされる。
【００３３】
右中骨１４０の側面１４２と右下枠１８０との間、左中骨１５０の側面１５２と左下枠１９０との間、右縦枠１２０の側面１２１と右下枠１８０との間、及び左縦枠１３０の側面１３１と左下枠１９０との間に、エチレン・プロピレン・ジエンゴム（ＥＰＤＭ）から成るシーラー２７２が設けられる。シーラー２７２は、側面１４２と右下枠１８０とから所定の圧力を受けてこれらに密着し、側面１４２と右下枠１８０との間を止水する。左中骨１５０、右縦枠１２０、及び左縦枠１３０についても同様に止水される。
【００３４】
従来の中骨勝ちでない下枠勝ちの構成では、右中骨及び左中骨は１本の下枠の頂面にシーラーを介して固定されていた。この構成では、右中骨と左中骨との長さに誤差がある場合、右中骨と下枠との間の圧力と、左中骨と下枠との間の圧力とが均一にならず、いずれか一方の圧力が弱い方において水密性を保てず、雨水がカーテンウォールユニットを超えて躯体側に進入する可能性があった。しかしながら本実施形態では、中骨勝ちとすることにより、右下枠１８０と右中骨１４０は、左下枠１９０と左中骨１５０の間の圧力に関わらず、シーラー２７２を介して密着し、水密性を確実に保ち、雨水がカーテンウォールユニット１００を超えて躯体側に進入することを防止できる。同様にして、左下枠１９０と左中骨１５０は、右下枠１８０と右中骨１４０の間の圧力に関わらず、雨水が躯体側に進入することを防止できる。
【００３５】
クロロプレンゴムスポンジから成る２つの等圧区画材２９０が、嵌合凹溝１１７内に設けられる。２つの等圧区画材２９０の端部は、スプライサー２７０の長手方向の両端の各々とシーリング材２９１を介して密着する。等圧区画材２９０において、スプライサー２７０と密着しない他端は、シーリング材２９１を用いて止水される。等圧区画材２９０の頂面は、嵌合凹溝１１７内に進入している右下枠１８０及び左下枠１９０の底部の反転形状を有し、右下枠１８０及び左下枠１９０の底部と密着する。等圧区画材２９０の底面は、嵌合凹溝１１７の底と密着する。これにより、空間１５７は等圧区画材２９０によって幅方向に区切られる。
【００３６】
下部補強材２４０の外周には、下部補強材２４０の全長に渡って延びるＬ字型の４つの係合突起２４１が設けられ、右中骨１４０と左中骨１５０の内周には、右中骨１４０と左中骨１５０の一部又は全長に渡って延びるＬ字型の４つの係合突起１４４、１５４が設けられる。係合突起２４１は、右中骨１４０と左中骨１５０の内周に設けられた係合突起１４４、１５４と各々係合する。これにより、下部補強材２４０、右中骨１４０と左中骨１５０は、水平面内に対して互いに固定される。下部補強材２４０は、左中骨１５０の嵌合突起１４３にビス２６３を用いて固定される。以上の部材により、右中骨１４０と左中骨１５０とが互いに密着して固定され、カーテンウォールユニット１００の搬送及び取り付け時に加えられる外力や、建築物に取り付けられた後に受ける風圧等の外力によって、右中骨１４０と左中骨１５０とが離れてしまうことがない。
【００３７】
右中骨１４０と左中骨１５０の躯体側に取り付けられるビス２６３の躯体側から、内部塞ぎゴム２７３が取り付けられる。これにより、ビス２６３の周囲から中空部２８０に雨水や空気が入ることを防止できる。
【００３８】
図５は上部補強材２３０の断面を示す。上部補強材２３０は、下部補強材２４０と同様の形状を有し、同様の構成によって右中骨１４０と左中骨１５０に接続される。これにより、右中骨１４０と左中骨１５０とが互いに密着して固定され、カーテンウォールユニット１００の搬送及び取り付け時に加えられる外力や、建築物に取り付けられた後に受ける風圧等の外力によって、右中骨１４０と左中骨１５０とが離れてしまうことがない。
【００３９】
次に、図６を用いて、外気の流れについて説明する。なお、説明の容易ため、図６においてスプライサー２７０及び等圧区画材２９０は省略される。重力方向下側に位置するカーテンウォールユニット１００ａの通気口１１９から、重力方向上側に位置するカーテンウォールユニット１００ｂの嵌合凹溝１１７に外気が流入する。ここで、前述のように、嵌合凹溝１１７は通気口１１９から右中骨１４０及び左中骨１５０の下端の下方に延びている。そのため、外気は嵌合凹溝１１７を経て中空部２８０まで流出入する。他方、前述のように、重力方向下側に位置するカーテンウォールユニット１００ａの上枠１１０と、右中骨１４０及び左中骨１５０の下端との間には隙間がある。この隙間を通って、外気が中空部２８０まで流出入する。これにより、嵌合凹溝１１７及び中空部２８０が外気圧と同じ圧力に維持されて、圧力差によって雨水が進入することがない。
【００４０】
従来の下枠勝ちの構成では、右中骨及び左中骨は１本の下枠の頂面にシーラーを介して固定されていたため、右中骨及び左中骨の内部は下枠の頂面によって外気と遮断されて、外気と等圧ではなかった。そのため、右中骨及び左中骨の内部と外気との圧力差によって内部に雨水が浸入する可能性があり、これを防ぐために、右中骨と左中骨とを接続するビス周りをシールする必要があった。しかしながら本実施形態では、下枠に対して中骨勝ちとすることにより中空部２８０が外気と等圧になったため、雨水が中空部２８０及び躯体側に進入することが少ない。そのため、右中骨と左中骨とを接続するビス、例えばビス２６３周りをシールする必要がなくなり、ビス周りのシールよりも簡易なレインバリア１５３による止水で足りることとなった。レインバリア１５３による止水を用いると、嵌合突起１４３を左中骨１５０に差し込むだけで止水処理が完了するため、カーテンウォールユニット１００の組立を従来よりも簡易にできる。
【００４１】
本実施形態によれば、等圧区画を有しながら、カーテンウォールと躯体との間を止水可能であるカーテンウォールユニットを得る。
【００４２】
右上部アウタースキン１０１及び左上部アウタースキン１０３はフロートガラスに限定されず、Ｌｏｗ−Ｅ複層ガラスや金属パネル等の公知のパネル材から成るものであってもよく、右下部アウタースキン１０２及び左下部アウタースキン１０４はＬｏｗ−Ｅ複層ガラスに限定されず、フロートガラスや金属パネル等の公知のパネル材から成るものであってもよい。また、右上部インナースキン及び左上部インナースキン１０６は耐火パネルに限定されず、フロートガラス、Ｌｏｗ−Ｅ複層ガラス、金属、石、樹脂、又はこれらの組み合わせ等であってもよい。さらに、右下部アウタースキン１０２及び左下部アウタースキン１０４の室内側に、フロートガラス、Ｌｏｗ−Ｅ複層ガラス、金属、石、樹脂、又はこれらの組み合わせ等が設けられてもよい。
【００４３】
右中間枠１６０及び左中間枠１７０は設けられなくてもよい。この場合、右上部アウタースキン１０１及び右下部アウタースキン１０２、並びに左上部アウタースキン１０３及び左下部アウタースキン１０４の代わりに一枚のアウタースキンが各々用いられる。
【００４４】
通気口１１９は、上枠１９０の中央に設けられるとして説明したが、上枠１９０の長手方向のいずれに設けられてもよく、複数設けられてもよい。この場合、等圧区画材２９０は、最も右縦枠１２０及び左縦枠１３０に近いスプライサー２７０の端部に設けられ、これにより、外気が等圧区画材２９０に阻止されずに中空部２８０に流入できる。
【００４５】
右中骨１４０及び左中骨１５０の数は１つに限定されず、複数であってもよい。すなわち、右中骨１４０及び左中骨１５０から成る１本の中骨が、枠体内に幅方向に複数並べられて設けられてもよい。このとき、中骨どうしを接続する下枠が設けられ、アウタースキンは幅方向において２枚以上設けられることになる。また、右中骨１４０は、２枚の嵌合突起１４３を備えなくてもよく、左中骨１５０が２枚の嵌合突起１４３を備えなくてもよく、右中骨１４０及び左中骨１５０が嵌合突起１４３を１枚ずつ備えてもよい。
【００４６】
ビス２６３は設けられなくてもよく、係合突起２４１及び係合突起１４４、１５４のみで右中骨１４０及び左中骨１５０が固定されてもよい。また、係合突起２４１及び係合突起１４４、１５４設けられなくてもよく、ビス２６３のみで右中骨１４０及び左中骨１５０が固定されてもよい。
【００４７】
上部補強材２３０と下部補強材２４０はいずれか一方、又は双方が設けられなくてもよい。また、上部補強材２３０と下部補強材２４０の位置は、前述の位置に限定されず、右中骨１４０及び左中骨１５０の高さ方向に対していずれの位置であってもよい。
【００４８】
本明細書および図中に示した各部材の大きさは例示であって、これらの大きさに限定されない。また、各部材の素材は例示であって、これらの素材に限定されない。
【００４９】
ここに付随する図面を参照して本発明の実施形態が説明されたが、記載された発明の範囲と精神から逸脱することなく、変形が各部の構造と関係に施されることは、当業者にとって自明である。
【図１】
2018159211.tif 000003
【図２】
2018159211.tif 000004
【図３】
2018159211.tif 000005
【図４】
2018159211.tif 000006
【図５】
2018159211.tif 000007
【図６】
2018159211.tif 000008